(57)【要約】【課題】被験者の体重，体組成成分，及び重心バランスを一つの機器で簡便、且つ、安全に測定する。【解決手段】体組成体重計は、体重計測部５，体組成計測部２０，及びバランス能力計測部１７を一体として備える。これにより、被験者の体重，体組成成分，及び重心バランスを一つの機器で短時間に簡便、且つ、安全に測定することができる。また運動後に体重，体組成成分，及び重心バランスを測定することにより、被験者は行った運動が適切なものであったかを総合的に判断することができる。【選択図】図２
2009056010.tif 000002
【特許請求の範囲】
【請求項１】
被験者の足が載せられる踏み台と、
前記踏み台内部に設けられた少なくとも３つ以上の荷重センサと、
被験者の足裏に微弱な電流を印加する電流印加電極と、
前記電流印加電極により被験者の足裏に電流を印加した際の被験者の足裏の電圧値を検出する電圧測定電極と、
前記荷重センサにより検出された踏み台に掛かる荷重から被験者の体重を計測する体重計測部と、
前記電圧測定電極により検出された電圧から被験者の生体電気インピーダンスを算出し、算出された生体電気インピーダンスから被験者の体組成成分を算出する体組成計測部と、
前記荷重センサにより検出された踏み台に掛かる荷重から被験者の重心バランスを計測するバランス能力計測部と
を一体にして備えたことを特徴とする体組成体重計。
【請求項２】
請求項１に記載の体組成体重計において、前記踏み台に着脱自在な操作部を備え、被験者は当該操作部を両手で前方に把持した姿勢で体重、生体電気インピーダンス、及び重心バランスを計測することを特徴とする体組成体重計。
【請求項３】
請求項１又は請求項２に記載の体組成体重計において、被験者が足を乗せる位置を示すマークが踏み台表面上にあり、前記荷重センサは当該マークの外側の踏み台内部に配置されていることを特徴とする体組成体重計。
【請求項４】
請求項３に記載の体組成体重計において、前記マークが踵から足先方向へ向かって所定の角度で広がりを有することを特徴とする体組成体重計。
【請求項５】
請求項１乃至請求項４のうち、いずれか１項に記載の体組成体重計において、前記踏み台が左右に分割され、各踏み台内部に少なくとも３つ以上の荷重センサが設けられていることを特徴とする体組成体重計。
【請求項６】
請求項５に記載の体組成体重計において、左右に分割された踏み台は踏み台を回動可能に支持する連結部により連結されていることを特徴とする体組成体重計。
【請求項７】
請求項５に記載の体組成体重計において、左右に分割された踏み台は踏み台を回動可能に支持する伸縮性を有する弾性体により連結されていることを特徴とする体組成体重計。
【請求項８】
請求項６又は請求項７に記載の体組成体重計において、左右の踏み台の分割線から見て左右対称な位置に弾性体からなる突起部が設けられていることを特徴とする体組成体重計。
【発明の詳細な説明】
【技術分野】
【０００１】
本発明は、被験者の体重，体組成成分，及び重心バランスを一体で測定する体組成体重計に関する。
【背景技術】
【０００２】
近年、家庭における生活習慣病の予防管理が重要視されており、体重測定と同時に生体電気インピーダンス法（Bioelectrical Impedance Analysis(BIA)法）に基づいて被験者の生体電気インピーダンスから測定部位の体脂肪率等の体組成成分を測定する体組成体重計が家庭用に広く普及している。
【特許文献１】特許第２７６０４７１号公報
【特許文献２】特許第２７１０２２３号公報
【特許文献３】特許第２７６０４７２号公報
【発明の開示】
【発明が解決しようとする課題】
【０００３】
しかしながら、体組成体重計は家庭用に広く普及しているのに対し、被験者の重心バランスを測定する計測器は安全性，使い勝手の面で課題があるために家庭用に広く普及していない。具体的には、重心バランスを測定する際、被験者は閉眼片足立ちの姿勢をとらなければならないので転倒等の危険性がある。また重心動揺計を用いて重心バランスを測定する場合、被験者は両手の力を抜いた状態で直立姿勢を３０秒近く保持しなければならないために煩わしく、また測定中に姿勢が変化しやすいために測定値の再現性が悪い。
【０００４】
運動による体脂肪や体重の管理については良く知られているが、運動と重心バランスとの関係についてはあまり注目されていない。重心バランスの安定性は、頭部，体幹，四肢で構成される体節間の連続する微小な運動により保たれて、視覚系，前庭系，足裏等の体性感覚系、及び筋肉、関節運動からなる動的システムが関係する。特に重心バランスを保持するためには、背筋，ヒラメ筋の筋力及び関節の柔軟性が重要であると言われている。このような背景から、被験者の体重，体組成成分，及び重心バランスを一体で短時間に簡便、且つ、安全に測定可能な体組成体重計の提供が望まれている。
【０００５】
本発明は、上記課題を解決するためになされたものであり、その目的は、被験者の体重，体組成成分，及び重心バランスを一体で短時間に簡便、且つ、安全に測定可能な体組成体重計を提供することにある。
【課題を解決するための手段】
【０００６】
本発明に係る体組成体重計は、被験者の足が載せられる踏み台と、踏み台内部に設けられた少なくとも３つ以上の荷重センサと、被験者の足裏に微弱な電流を印加する電流印加電極と、電流印加電極により被験者の足裏に電流を印加した際の被験者の足裏の電圧値を検出する電圧測定電極と、荷重センサにより検出された踏み台に掛かる荷重から被験者の体重を計測する体重計測部と、電圧測定電極により検出された電圧から被験者の生体電気インピーダンスを算出し、算出された生体電気インピーダンスから被験者の体組成成分を算出する体組成計測部と、荷重センサにより検出された踏み台に掛かる荷重から被験者の重心バランスを計測するバランス能力計測部とを一体にして備える。
【発明の効果】
【０００７】
本発明に係る体組成体重計によれば、体重計測部，体組成計測部，及びバランス能力計測部を一体として備えるので、被験者の体重，体組成成分，及び重心バランスを一つの機器で短時間に簡便、且つ、安全に測定することができる。また運動後に体重，体組成成分，及び重心バランスを測定することにより、被験者は行った運動が適切なものであったかを総合的に判断することができる。
【発明を実施するための最良の形態】
【０００８】
以下、図面を参照して、本発明の実施形態となる体組成体重計の構成について説明する。
【０００９】
〔第１の実施形態〕
始めに、図１乃至図６を参照して、本発明の第１の実施形態となる体組成体重計の構成及びその測定動作について説明する。
【００１０】
〔体組成体重計の構成〕
本発明の第１の実施形態となる体組成体重計１は、図１(a)に示すように、被験者の両足が載せられる踏み台２と、踏み台２に内蔵された荷重センサ３a,３b,３cと、被験者の足裏に微弱な電流を印加する電流印加電極４a,４bと、被験者の足裏の電圧値を検出する電圧測定電極５a,５bと、各種情報を表示する表示部６と、体組成体重計１のオン／オフを切り換える電源スイッチ７と、被験者により操作される入力部１１を主な構成要素として備える。荷重センサ３a,３b,３cは、図１(b)に示すように、踏み台２内部に置かれた支持板８に固定され、踏み板２に荷重が掛かると荷重は上板９及びリブ１０を介して荷重センサ３a,３b,３cに伝達される。電流印加電極４a,４b及び電圧測定電極５a,５bは、踏み台２の表面から所定量突出して配置され、足を載せる位置を示すマークを兼ねている。電圧測定電極５a,５bには足の踵を合わせるための窪み２５が設けられている。
【００１１】
〔制御系の構成〕
上記体組成体重計１は、制御系として、図２に示すように、荷重センサ３（３a,３b,３c）に掛かる荷重値を電圧信号として検出する荷重検出部１２と、アナログ形態の電気信号をデジタル形態の電気信号に変換するＡ／Ｄ変換部１３と、体組成体重計１全体の動作を制御する制御部１４と、各種情報を記憶する記憶部１６と、電流印加電極４（４a,４b）に電流を印加する電流供給部１８と、電圧測定電極５（５a,５b）により測定された電圧値を検出する電圧検出部１９とを備える。また制御部１４は、マイクロコンピュータにより構成され、内部ＣＰＵがコンピュータプログラムを実行することにより体重計測部１５，バランス能力計測部１７，及び体組成計測部２０として機能する。
【００１２】
〔測定動作〕
次に、図３を参照して、上記体組成体重計１の測定動作について説明する。
【００１３】
図３に示すフローチャートは、被験者が電源スイッチ７をオフ状態からオン状態に切り換え、入力部１１を操作することにより年齢，性別，身長，足の長さ等の自身の身体基本情報を入力したタイミングで開始となり、測定動作はステップＳ１の処理に進む。
【００１４】
ステップＳ１の処理では、被験者が電圧測定電極５a,５bの窪み２５に足裏の踵に合わせるように乗り、図４に示すように両手の力を抜いた状態で所定時間一定の姿勢を保持する。荷重検出部１２は荷重センサ３a,３b,３cのアナログ形態の電圧値を検出する。
【００１５】
Ａ／Ｄ変換部１３はアナログ形態の電圧値を所定のサンプリング周波数でデジタル変換し、デジタル形態の電圧値を記憶部１６内に記憶する。体重計測部１５は、記憶部１６内に記憶されたデジタル形態の電圧値に基づいて被験者の体重を算出し、算出された体重を表示部６に表示する。これにより、ステップＳ１の処理は完了し、測定動作はステップＳ２の処理に進む。
【００１６】
ステップＳ２の処理では、バランス能力計測部１７が、記憶部１６内に記憶されている電圧値を読み出し、読み出された電圧値と予めわかっている荷重センサ３a,３b,３c間の距離を用いて、被験者の重心位置座標を算出し、重心位置座標の移動量、たとえば移動距離が所定の範囲内に収まった時点、すなわち重心動揺が安定した直後から数秒間の重心位置座標を抽出する。安定した直後の数秒間を抽出することで被験者の負担が少なくかつ、重心動揺の再現性が良くなる。このような処理によれば、図５に示すような重心位置座標の軌跡７０のデータが得られる。これにより、ステップＳ２の処理は完了し、測定動作はステップＳ３の処理に進む。
【００１７】
ステップＳ３の処理では、バランス能力計測部１７が、ステップＳ２の処理により算出された重心位置座標の軌跡７０のデータを用いて、図５に示すような所定時間内における重心位置の最大移動範囲を表す矩形面積７１及び平均重心位置７２を重心動揺パラメータとして演算し、演算された重心動揺パラメータに基づいて被験者のバランス能力レベルを決定して表示部６に表示する。
【００１８】
本実施形態では、矩形面積７１と平均重心位置７２は、年齢、性別、身長、体重毎に予め作成しておいたデータベースに基づき、図６のテーブルに示すように３段階に区分され、これらの組み合わせにより９段階のバランス能力レベルが設定されている。バランス能力計測部１７は、図６のテーブルを参照して被験者のバランス能力レベルを判定する。例えば矩形面積７１が小さく、平均重心位置７２の偏りが大きい場合には、バランス能力レベルは「７」と判定される。これにより、ステップＳ３の処理は完了し、測定動作はステップＳ４の処理に進む。
【００１９】
ステップＳ４の処理では、電流供給部１８が、所定周波数の交流電流を電流印加電極４a,４bに供給し、電流印加電極４a,４bを介して足裏に微弱な電流を印加する。電圧検出部１９は電圧測定用電極５a,５b間の電圧を検出する。体組成計測部２０が電圧検出部１９により検出された電圧から被験者の生体電気インピーダンスを算出する。これにより、ステップＳ４の処理は完了し、測定動作はステップＳ５の処理に進む。
【００２０】
ステップＳ５の処理では、体組成計測部２０が、身体基本情報を用いてステップＳ４の処理により算出された生体電気インピーダンスをＢＩＡ法により体脂肪率，除脂肪量，筋肉量等の体組成成分に変換し、体組成成分の値を表示部６に表示する。これにより、ステップＳ５の処理は完了し、一連の測定動作は終了する。
【００２１】
以上の説明から明らかなように、本発明の第１の実施形態となる体組成体重計１によれば、体重計測部５，体組成計測部２０，及びバランス能力計測部１７を一体として備えるので、被験者の体重，体組成成分，及び重心バランスを一つの機器で短時間に簡便、且つ、安全に測定することができる。また運動後に体重，体組成成分，及び重心バランスを測定することにより、被験者は行った運動が適切なものであったかを総合的に判断することができる。
【００２２】
〔第２の実施形態〕
次に、図７乃至図１０を参照して、本発明の第２の実施形態となる体組成体重計の構成について説明する。
【００２３】
本発明の第２の実施形態となる体組成体重計１では、図７に示すように、上記第１の実施形態となる体組成体重計の構成において、表示部６と入力部１１からなる操作部２２が踏み台２から着脱自在に構成されている。また操作部２２は接続ケーブル２３により踏み台２と電気的に接続され、接続ケーブル２３は踏み台２の内部にリールによって巻きつけられた状態になっている。この体組成体重計１では、測定動作において一定姿勢を保持する際、被験者６０は図８に示すように両腕を伸ばして身体の前方で操作部２２を把持する。そして測定動作中、操作部２２には図９に示すように「バランス測定中です動かないでください」等のメッセージが表示され、測定動作完了後は図１０に示すようにバランス能力レベルが表示される。このように両腕を伸ばして身体の前方で操作部２２を把持した場合、身体はやや前傾姿勢になるが、適切な重量物を前方で把持することにより姿勢を保持するための下肢の筋、特にヒラメ筋がはたらき、何も持たないで直立で立つ場合よりも重心動揺がより早く安定し、被験者の負担が少なく、再現性の良いバランス能力評価を行うことができる。
【００２４】
〔第３の実施形態〕
次に、図１１，１２を参照して、本発明の第３の実施形態となる体組成体重計の構成について説明する。
【００２５】
本発明の第３の実施形態となる体組成体重計では、図１１に示すように、上記第１の実施形態となる体組成体重計の構成において、荷重センサ３a,３b,３c,３dが足を載せる位置を表すマーク（電流印加電極４a,４b及び電圧測定電極５a,５b）の外側に配置されている。被験者の重心位置を正しく測定するためには荷重センサ３a,３b,３c,３dの中心を結ぶ領域２６内に重心が位置していなければならず、図１２に示すように被験者の姿勢が著しく傾き、重心位置７３が領域２６内にない場合、重心位置を正しく計測することができない。従って、本実施形態のように足を載せる位置を表すマークの外側に荷重センサ３a,３b,３c,３dを配置することにより、重心が偏っている場合においても重心位置を正しく計測することができる。
【００２６】
〔第４の実施形態〕
次に、図１３，１４を参照して、本発明の第４の実施形態となる体組成体重計の構成について説明する。
【００２７】
本発明の第４の実施形態となる体組成体重計では、図１３に示すように、上記第３の実施形態となる体組成体重計の構成において、電流印加電極４a,４bと電圧測定電極５a,５bが踵側から爪先側へ向かって所定の角度θで広がっている。一般に自然に立った状態で足は約３０度外向きに広がると言われている。従って電流印加電極４a,４bと電圧測定電極５a,５bをこのような配置にすることにより、被験者の姿勢が安定し、再現性よく計測を行うことができる。またこの場合、図１４に示すように踏み板中央部に突起部２７を設けることにより踵側から爪先側へ向かって足が所定の角度になるようにしてもよい。
【００２８】
〔第５の実施形態〕
次に、図１５を参照して、本発明の第５の実施形態となる体組成体重計の構成について説明する。
【００２９】
本発明の第５の実施形態となる体組成体重計では、図１５に示すように、上記第２の実施形態となる体組成体重計の構成において、踏み台２が左右に分割され、左の踏み台２a及び右の踏み台２bにそれぞれ荷重センサ３a,３b,３c,３d及び荷重センサ３０a,３０b,３０c,３０dが内蔵されている。このような構成によれば、体組成，身体の重心バランスの左右差を組み合わせることにより、身体機能及び運動による効果が詳細にわかるようになる。なお応用例として、図１６に示すように、操作部２２に電流印加電極４０a,４０bと電圧測定用電極５０a,５０bを設けてもよい。このような構成によれば、測定動作中、電流印加電極４a,４０ａを介して電流供給部１８から所定の周波数で交流電流を被験者に印加し、電圧測定用電極５a,５０ａを介して電圧検出部１９により電圧を検出することにより、左手−左足間のインピーダンスから身体の左半分の体脂肪率，除脂肪量，及び筋肉量を測定することができる。また同様に、測定動作中、電流印加電極４ｂ,４０ｂを介して電流供給部１８から所定の周波数で交流電流を被験者に印加し、電圧測定用電極５ｂ,５０ｂを介して電圧検出部１９により電圧を検出することにより、右手−右足間のインピーダンスから身体の右半分の体脂肪率，除脂肪量，筋肉量を測定することができる。これにより、身体の左右の体脂肪率，除脂肪量，筋肉量，及び左右のバランス能力がわかるため、体組成成分の左右差，身体の重心バランスの左右差を組み合わせることにより、身体機能及び運動による効果がより一層詳細にわかるようになる。
【００３０】
〔第６の実施形態〕
次に、図１７，１８を参照して、本発明の第６の実施形態となる体組成体重計の構成について説明する。
【００３１】
本発明の第６の実施形態となる体組成体重計は、図１７に示すように、上記第５の実施形態となる体組成体重計の構成に加えて、踏み台２ａ,２ｂを連結する連結部２８と、踏み台２ａ,２ｂの側面に取り付けられた取っ手部２９とを備える。また連結部２８は蝶番により構成され、踏み台２a及び踏み台２bは連結部２８を回転中心にして回動可能なように構成されている。この体組成体重計では、測定動作終了後、被験者は図１８(a),(b)に示すように連結部２８を中心に踏み台２a,２bを折り畳むことができるので、収納性が良く、また取っ手部２９を設けたため持ち運ぶことが容易になる。なお応用例として、図１９に示すように、踏み台２a,２bの連結部２８から見て左右対称の位置にゴム等の弾性体からなる突起部３２を設けてもよよい。このような構成によれば、図２０に示すように踏み台２a,２bを折り畳んだ際に踏み台２a,２b同士の接触による衝撃が少なくなり、本体の故障を防ぐことができる。
【００３２】
〔第７の実施形態〕
次に、図２１，２２を参照して、本発明の第７の実施形態となる体組成体重計の構成について説明する。
【００３３】
本発明の第７の実施形態となる体組成体重計は、図２１に示すように、上記第５の実施形態となる体組成体重計の構成に加えて、踏み台２ａ，２ｂを連結する伸縮性のある弾性体３３と、踏み台２ａ,２ｂの側面に取り付けられた取っ手部２９とを備える。この体組成体重計では、踏み台２ａ,２ｂは伸縮性のある弾性体３３により連結されているため、図２２に示すように踏み台２ａ,２ｂ間の距離は所定の範囲内で可変となる。図２３に示すように子供６０ａと大人６０ｂとでは両足間の距離が異なっているため、このような構成によれば、子供６０ａが測定動作を行う場合は踏み台２ａ,２ｂ間の距離を短くし、大人６０ｂが測定動作を行う場合には踏み台２ａ,２ｂ間の距離を長くすることにより、体重，重心バランス，体組成を適切に測定することができる。そして測定終了後は図２４に示すように弾性体３３を中心に踏み台２ａ,２ｂを折り畳むことができるため収納性が良く、また取っ手部２９を設けたため、持ち運ぶことが容易になる。
【００３４】
以上、本発明者によってなされた発明を適用した実施の形態について説明したが、この実施の形態による本発明の開示の一部をなす論述及び図面により本発明は限定されることはない。例えば本実施形態では、踵部に窪み２５を設けて被験者の足の位置合わせを行うようにしたが、爪先側に窪み２５を設けても良い。また電極は足の形を模したものであっても良い。また本実施形態では、重心動揺が安定する指標として重心位置座標の移動距離を用いたが、Ｘ方向のみ、Ｙ方向のみの重心位置座標の移動距離、あるいは移動した範囲の面積を用いても良い。あるいは重心動揺が安定していない、たとえば足を乗せた直後から数秒間の重心位置座標をバランス能力レベルの判定に用いても良い。また本実施形態では、重心動揺パラメータとして矩形面積，平均重心位置を組み合わせてバランス能力レベルを判定したが、重心動揺の軌跡長，軌跡長／矩形面積，重心移動速度，左右方向最大変位，前後方向最大変位，周波数成分等を組み合わせ、あるいは単独でバランス能力レベルを判定しても良い。また測定動作は体重，体組成，及び重心バランスの順でなくとも良く、同時に測定しても良い。また本実施形態では操作部２２と本体との間に接続ケーブル２３を設けたが、操作部２２側と本体にそれぞれ通信手段を設け、電波，光等を用いてワイヤレスで信号を送受信するようにしても良い。また生体電気インピーダンスから体脂肪，除脂肪量，筋肉量を算出したが、皮下脂肪量，内臓脂肪量，水分量，骨量，基礎代謝量を推定しても良い。このように、本実施形態に基づいて当業者等によりなされる他の実施の形態、実施例及び運用技術等は全て本発明の範疇に含まれることは勿論であることを付け加えておく。
【図面の簡単な説明】
【００３５】
【図１】本発明の第１の実施形態となる体組成体重計の構成を示す上面図及び断面図である。
【図２】図１に示す体組成体重計の制御系の構成を示すブロック図である。
【図３】本発明の実施形態となる測定動作の流れを示すフローチャート図である。
【図４】図１に示す体組成体重計を利用した測定動作の際の被験者の姿勢を示す模式図である。
【図５】所定時間内における被験者の重心位置の軌跡，重心位置の最大移動範囲を表す矩形面積，及び平均重心位置を示す図である。
【図６】矩形面積及び平均重心位置とバランス能力レベルの対応関係を示す図である。
【図７】本発明の第２の実施形態となる体組成体重計の構成を示す上面図である。
【図８】図７に示す体組成体重計を利用した測定動作の際の被験者の姿勢を示す模式図である。
【図９】測定動作中における操作部の表示例を示す模式図である。
【図１０】測定動作完了後の操作部の表示例を示す模式図である。
【図１１】本発明の第３の実施形態となる体組成体重計の構成を示す上面図である。
【図１２】被験者の姿勢が著しく傾き、重心位置が所定領域内にない状態を説明するための図である。
【図１３】本発明の第４の実施形態となる体組成体重計の構成を示す上面図である。
【図１４】図１３に示す体組成体重計の応用例の構成を示す上面図である。
【図１５】本発明の第５の実施形態となる体組成体重計の構成を示す上面図である。
【図１６】図１５に示す体組成体重計の応用例の構成を示す上面図である。
【図１７】本発明の第６の実施形態となる体組成体重計の構成を示す上面図である。
【図１８】図１７に示す体組成体重計における測定動作完了後の踏み台の折り畳み動作を説明するための模式図である。
【図１９】本発明の第６の実施形態となる体組成体重計の応用例の構成を示す上面図である。
【図２０】図１９に示す体組成体重計における測定動作完了後の踏み台の折り畳み動作を説明するための模式図である。
【図２１】本発明の第７の実施形態となる体組成体重計の構成を示す上面図である。
【図２２】図２１に示す弾性体が伸縮する様子を説明するための体組成体重計の上面図である。
【図２３】子供及び大人が測定動作を行う際の踏み台間の距離を説明するための模式図である。
【図２４】図２１に示す体組成体重計における測定動作完了後の踏み台の折り畳み動作を説明するための模式図である。
【符号の説明】
【００３６】
１：体組成体重計
２：踏み台
３a,３b,３c：荷重センサ
４a,４b：電流印加電極
５a,５b：電圧測定電極
６：表示部
７：電源スイッチ
８：支持板
９：上板
１０：リブ
１１：入力部
１２：荷重検出部
１３：Ａ／Ｄ変換部
１４：制御部
１５：体重計測部
１６：記憶部
１７：バランス能力計測部
１８：電流供給部
１９：電圧検出部
２０：体組成計測部
２１：表示部
２５：窪み
【図１】
2009056010.tif 000003
【図２】
2009056010.tif 000004
【図３】
2009056010.tif 000005
【図４】
2009056010.tif 000006
【図５】
2009056010.tif 000007
【図６】
2009056010.tif 000008
【図７】
2009056010.tif 000009
【図８】
2009056010.tif 000010
【図９】
2009056010.tif 000011
【図１０】
2009056010.tif 000012
【図１１】
2009056010.tif 000013
【図１２】
2009056010.tif 000014
【図１３】
2009056010.tif 000015
【図１４】
2009056010.tif 000016
【図１５】
2009056010.tif 000017
【図１６】
2009056010.tif 000018
【図１７】
2009056010.tif 000019
【図１８】
2009056010.tif 000020
【図１９】
2009056010.tif 000021
【図２０】
2009056010.tif 000022
【図２１】
2009056010.tif 000023
【図２２】
2009056010.tif 000024
【図２３】
2009056010.tif 000025
【図２４】
2009056010.tif 000026